(57)【要約】【課題】マチ幅を小さくするために、ファスナーテープの露出部の間隔を狭くしても、開閉ファスナーのスライダーが収納ケース本体の裏生地の端縁に噛み込まないようにした収納ケースを提供する。【解決手段】本体１の内部に収納部２を設け、上端１ａ、一側端１ｂ、下端１ｃおよび他側端１ｄの少なくとも何れかに開閉ファスナー３を取付けている。開閉ファスナー３は、本体１の表裏生地７、８の間に、ファスナーエレメント３ａの両側に連繋したファスナーテープ３ｂの外端を挟み込んでおり、本体１の表生地７の端縁７ａから、ファスナーエレメント３ａまでの間隔Ｓ1 を２〜４ｍｍにした露出部Ｏ1 を設けている。さらに、本体１の裏生地８の端縁８ａから、ファスナーエレメント３ａまでの間隔Ｓ2 を５〜８ｍｍにした露出部Ｏ2 を設けている。【選択図】図４
2020174836.tif 000002
【特許請求の範囲】
【請求項１】
本体（１）の内部に収納部（２）を設けたものとし、上端（１ａ）、一側端（１ｂ）、下端（１ｃ）および他側端（１ｄ）の少なくとも何れかに開閉ファスナー（３）を取付けたものとし、前記開閉ファスナー（３）は、本体（１）の表裏生地（７、８）の間に、ファスナーエレメント（３ａ）の両側に連繋したファスナーテープ（３ｂ）の外端を挟み込んでおり、前記本体（１）の表生地（７）の端縁（７ａ）から、ファスナーエレメント（３ａ）までの間隔（Ｓ1 ）を２〜４ｍｍにした露出部（Ｏ1 ）を設け、前記本体（１）の裏生地（８）の端縁（８ａ）から、ファスナーエレメント（３ａ）までの間隔（Ｓ2 ）を５〜８ｍｍにした露出部（Ｏ2 ）を設けたことを特徴とする収納ケース。
【請求項２】
前記ファスナーテープ（３ｂ）の裏側に、ファスナーエレメント（３ａ）から前記間隔（Ｓ2 ）をおいて裏生地（８）を重ね合わせ、この裏生地（８）の端縁（８ａ）の近辺からファスナーテープ（３ｂ）にかけて縫着し、次に前記ファスナーテー（３ｂ）の表側に、ファスナーエレメント（３ａ）から前記間隔（Ｓ1 ）をおいて表生地（７）を重ね合わせ、この表生地（７）の端縁（７ａ）の近辺からファスナーテープ（３ｂ）にかけて縫着したことを特徴とする請求項１記載の収納ケース。
【請求項３】
前記ファスナーテープ（３ｂ）の裏側に、ファスナーエレメント（３ａ）から前記間隔（Ｓ2 ）をおいて裏生地（８）を重ね合わせ、前記ファスナーテープ（３ｂ）の表側に、ファスナーエレメント（３ａ）から前記間隔（Ｓ1 ）をおいて表生地（７）を重ね合わせ、裏生地（８）の端縁（８ａ）の近辺からファスナーテープ（３ｂ）および表生地（７）にかけて縫着し、次に表生地（７）の端縁（７ａ）の近辺からファスナーテープ（３ｂ）にかけて縫着したことを特徴とする請求項１記載の収納ケース。
【発明の詳細な説明】
【技術分野】
【０００１】
この発明は、紙幣や小銭、名刺やカード、薄型の携帯情報端末機器などを収納しておくための収納ケースに関するものである。
【背景技術】
【０００２】
この種の収納ケースは、紙幣や小銭、名刺やカード等をそれぞれ分けて収納しておくために、ある程度の寸法（２５〜５０ｍｍ程度）のマチ幅を有するものとしており、余裕を持って紙幣や小銭等の収納物を収納できるようにしている。
【０００３】
従来、例えば図１１、１２に示された収納ケースのように、見開き自在とした本体１１の内部に、開閉ファスナー付き収納部１２および収納部１３を設けたものが存在する。そして、前記本体１１は、上端１１ａおよび両側端１１ｂにかけて開閉ファスナー１４を取付けたものとして見開き自在としている。前記本体１１の上端１１ａおよび両側端１１ｂには、開閉ファスナー１４のファスナーエレメント１４ａの両側に、それぞれ間隔Ｓが１０〜２０ｍｍ程度のファスナーテープ１４ｂの露出部Ｏを設けたものとしている。この露出部Ｏを設けることによって、収納ケースのマチ幅Ｍを大きくし、本体１内部の容積を大きくしている（特許文献１）。
【０００４】
このように構成した従来の収納ケースを使用するには、図１２に示されたように、本体１１の開閉ファスナー１４をスライダー１５の操作によって開き、本体１１を見開き状態にし、収納部１３の上方を開放する。次に、開閉ファスナー付き収納部１２の開閉ファスナー１６を開き、小銭等のばらつくものはこの開閉ファスナー付き収納部１２に収納し、紙幣は収納部１３に収納し、名刺やカードは収納部１３のポケット１７に収納する。そして、開閉ファスナー付き収納部１２の開閉ファスナー１６を閉じ、本体１１の開閉ファスナー１４を閉じればよい。
【先行技術文献】
【特許文献】
【０００５】
【特許文献１】特開２０１４−１４４１９４号公報
【発明の概要】
【発明が解決しようとする課題】
【０００６】
しかしながら、近年キャッシュレス化が進み、紙幣や小銭はあまり必要ではなくなり、収納ケースの中に紙幣や小銭を収納する量が減少しているため、従来の特許文献１に示されたような、マチ幅の大きい収納ケースはあまり必要ではなくなっている。
【０００７】
そこで、収納ケースのマチ幅を小さくするには、前記ファスナーテープの露出部の間隔を狭くすればよいが、ただ単にこの露出部の間隔を狭くするだけでは、開閉ファスナーのスライダーを操作するときに、このスライダーが収納ケースの本体の表生地や裏生地の端縁に噛み込み易くなる。
【０００８】
すなわち、前記ファスナーテープは、収納ケースの本体の表生地と裏生地の間に挟み込んで、前記露出部を残して、これら表生地と裏生地に縫着するので、この露出部の間隔が狭くなると、スライダーを操作するときに、スライダーの両側端が表生地や裏生地の端縁に接触して、スライダーがこれら表生地や裏生地の端縁に噛み込み易くなる。
【０００９】
したがって、前記スライダーを操作するときに、このスライダーが収納ケースの本体の表生地や裏生地の端縁に噛み込んでしまうと動かなくなり、開閉ファスナーの開け閉めができなくなるという課題を有していた。特に、スライダーが収納ケース本体の裏生地の端縁に噛み込んでしまうと、この噛み込んだ部分からスライダーを外すのは非常に困難であるという課題を有していた。
【００１０】
そこで、この発明は、上記従来の課題を解決することを目的としており、マチ幅を小さくするために、ファスナーテープの露出部の間隔を狭くしても、開閉ファスナーのスライダーが収納ケース本体の裏生地の端縁に噛み込まないようにした収納ケースを提供することを目的としてなされたものである。
【課題を解決するための手段】
【００１１】
この発明の収納ケースは、本体１の内部に収納部２を設けたものとし、上端１ａ、一側端１ｂ、下端１ｃおよび他側端１ｄの少なくとも何れかに開閉ファスナー３を取付けたものとしている。そして、前記開閉ファスナー３は、本体１の表裏生地７、８の間に、ファスナーエレメント３ａの両側に連繋したファスナーテープ３ｂの外端を挟み込んでおり、前記本体１の表生地７の端縁７ａから、ファスナーエレメント３ａまでの間隔Ｓ1 を２〜４ｍｍにした露出部Ｏ1 を設けたものとしている。さらに、前記本体１の裏生地８の端縁８ａから、ファスナーエレメント３ａまでの間隔Ｓ2 を５〜８ｍｍにした露出部Ｏ2 を設けたものとしている。
【００１２】
この発明の収納ケースにおいて、前記ファスナーテープ３ｂの裏側に、ファスナーエレメント３ａから前記間隔Ｓ2 をおいて裏生地８を重ね合わせ、この裏生地８の端縁８ａの近辺からファスナーテープ３ｂにかけて縫着し、次に前記ファスナーテー３ｂの表側に、ファスナーエレメント３ａから前記間隔Ｓ1 をおいて表生地７を重ね合わせ、この表生地７の端縁７ａの近辺からファスナーテープ３ｂにかけて縫着したものとしている。
【００１３】
この発明の収納ケースにおいて、前記ファスナーテープ３ｂの裏側に、ファスナーエレメント３ａから前記間隔Ｓ2 をおいて裏生地８を重ね合わせ、前記ファスナーテープ３ｂの表側に、ファスナーエレメント３ａから前記間隔Ｓ1 をおいて表生地７を重ね合わせ、裏生地８の端縁８ａの近辺からファスナーテープ３ｂおよび表生地７にかけて縫着し、次に表生地７の端縁７ａの近辺からファスナーテープ３ｂにかけて縫着したものとしている。
【発明の効果】
【００１４】
この発明の収納ケースは、以上に述べたように構成されているので、マチ幅を小さくするために、ファスナーテープの露出部の間隔を狭くしても、開閉ファスナーのスライダーが収納ケース本体の裏生地の端縁に噛み込まないものとなり、スライダーの操作に支障をきたさないものとなり、開閉ファスナーの開け閉めが行い易くなる。
【００１５】
さらに、この発明の収納ケースは、ファスナーテープの露出部の間隔を狭くして収納ケース本体の表生地と裏生地に縫着した場合にも、その縫目が目立つことのないものとなり、体裁の良いものとなる。
【図面の簡単な説明】
【００１６】
【図１】この発明の収納ケースの一実施形態を示す斜視図である。
【図２】図１に示す収納ケースの収納部を開いた状態の斜視図である。
【図３】図１に示す収納ケースの側面図である。
【図４】図１に示す収納ケースの開閉ファスナーの取付状態の断面図である。
【図５】図１中のＡーＡ線による拡大断面図である。
【図６】この発明の収納ケースの他の実施形態を示す斜視図である。
【図７】図６に示す収納ケースの収納部を開いた状態の斜視図である。
【図８】図６に示す収納ケースの側面図である。
【図９】図６に示す収納ケースの開閉ファスナーの取付状態の断面図である。
【図１０】図６中のＢーＢ線による拡大断面図である。
【図１１】従来の収納ケースの斜視図である。
【図１２】従来の収納ケースの収納部を開いた状態の斜視図である。
【発明を実施するための形態】
【００１７】
以下、この発明の収納ケースを実施するための形態を、図面に基づいて詳細に説明する。
【００１８】
この発明の収納ケースは、本体１の内部に複数の収納部２を設けたものとし、上端１ａ、一側端１ｂ、下端１ｃおよび他側端１ｄの少なくとも何れかに開閉ファスナー３を取付けたものとしている。図１〜５に示したこの発明の収納ケースは、紙幣を折り曲げずに収納できるように横長の略長方形状の本体１としており、図６〜１０に示したこの発明の収納ケースは、紙幣を折り曲げて収納できるように略正方形状の本体１としている。
【００１９】
図１〜５に示したこの発明の収納ケースでは、前記本体１は、上端１ａおよび一側端１ｂにかけて開閉ファスナー３を取付けたものとし、見開き自在としている。図６〜１０に示したこの発明の収納ケースでは、前記本体１は、上端１ａ、一側端１ｂおよび下端１ｃにかけて開閉ファスナー３を取付けたものとし、見開き自在としている。本体１は、天然皮革や合成皮革としたり、各種の布地からなるものとしている。開閉ファスナー３は、ファスナーエレメント３ａの両側にファスナーテープ３ｂを連繋したものとし、ファスナーエレメント３ａをスライダー４の操作によって係脱させることにより、開閉自在としたものとしている。
【００２０】
図１〜５に示したこの発明の収納ケースでは、前記収納部２は、仕切り部材５の一側端５ａを本体１の他側端１ｄにヒダ部材６で止着したものとし、この仕切り部材５の両側を、上方および一側方を開放させた第一収納部２ａとし、紙幣やレシート等の横長状の紙片を収納しておけるようにしている。さらに、前記仕切り部材５は、上方を開放させた袋状として袋内部を第二収納部２ｂとし、小銭等のばらつくものを収納しておけるようにしている。さらに、前記収納部２は、本体１の左右側面にそれぞれ一段の大ポケットを設け、これら大ポケットからそれぞれ複数段の小ポケットを設け、大ポケットを第三収納部２ｃとし、紙幣やレシート等の横長状の紙片を収納しておけるようにし、小ポケットを第四収納部２ｄとし、キャッシュカードや名刺などを収納しておけるようにしている。また、前記収納部２は、必要に応じて本体１の外側に設けた開閉ファスナー付き小ポケットを第五収納部２とし、小銭等のばらつくものを収納しておけるようにしている。なお、前記収納部２は、この実施形態に限られることなく、任意な形態とすることができる。
【００２１】
図６〜１０に示したこの発明の収納ケースでは、前記収納部２は、左右側面から、これらの左右側面に連なる一段の大ポケットを設け、この大ポケットを第一収納部２ａとし、紙幣やレシート等の横長状の紙片を収納しておけるようにしている。さらに、前記収納部２は、大ポケットの左右からそれぞれ複数段の小ポケットを設け、これら小ポケットの何れかを開閉ファスナー付き小ポケットとし、前記小ポケットを第二収納部２ｂとし、キャッシュカードや名刺などを収納しておけるようにし、前記開閉ファスナー付き小ポケットを第三収納部２ｃとし、小銭等のばらつくものを収納しておけるようにしている。なお、前記収納部２も、この実施形態に限られることなく、任意な形態とすることができる。
【００２２】
そして、この発明の収納ケースでは、前記開閉ファスナー３は、本体１の上端１ａ、一側端１ｂ、下端１ｃおよび他側端１ｄの少なくとも何れかの表裏生地７、８の間に、ファスナーエレメント３ａの両側に連繋したファスナーテープ３ｂの外端を挟み込んでおり、これら上端１ａ、一側端１ｂ、下端１ｃおよび他側端１ｄの近辺を縫着することにより、これらに取付けている。この場合、前記本体１の表生地７の端縁７ａから、ファスナーエレメント３ａまでの間隔Ｓ1 を２〜４ｍｍにした露出部Ｏ1 を設けたものとし、前記本体１の裏生地８の端縁８ａから、ファスナーエレメント３ａまでの間隔Ｓ2 を５〜８ｍｍにした露出部Ｏ2 を設けたものとしている。
【００２３】
図１〜５に示したこの発明の収納ケースでは、前記開閉ファスナー３は、本体１の上端１ａの表裏生地７、８および一側端１ｂの表裏生地７、８の間に、ファスナーエレメント３ａの両側に連繋したファスナーテープ３ｂの外端部を挟み込んで、これらの上端１ａおよび一側端１ｂの近辺を縫着することにより、これら上端１ａおよび一側端１ｂに取付けている。この場合、本体１の上端１ａおよび一側端１ｂの表生地７の端縁７ａから、ファスナーエレメント３ａまで間隔Ｓ1 を２〜４ｍｍにした露出部Ｏ1 を設けたものとし、本体の上端１ａおよび一側端１ｂの裏生地８の端縁８ａから、ファスナーエレメント３ａまでの間隔Ｓ2 を５〜８ｍｍにした露出部Ｏ2 を設けたものとしている。そのため、前記開閉ファスナー３をスライダー４の操作によって開閉する場合にも、図５に示したように、スライダー４と裏生地８の端縁８ａとが充分に離れているため、スライダー４の両側端が裏生地８の端縁８ａに接触して、この端縁８ａに噛み込んでしまうことはない。
【００２４】
このようにするには、図４に示したように、前記ファスナーテープ３ｂの裏側に、ファスナーエレメント３ａから前記間隔Ｓ2 をおいて裏生地８を重ね合わせ、この裏生地８の端縁８ａの近辺からファスナーテープ３ｂにかけて縫着し、次に前記ファスナーテー３ｂの表側に、ファスナーエレメント３ａから前記間隔Ｓ1 をおいて表生地７を重ね合わせ、この表生地７の端縁７ａの近辺からファスナーテープ３ｂにかけて縫着すればよい。この場合、縫着した縫目は、本体の上端１ａおよび一側端１ｂに一条しか現れないので、体裁の良いものとなる。
【００２５】
さらに、図６〜１０に示したこの発明の収納ケースでは、前記開閉ファスナー３は、本体の上端１ａの表裏生地７、８、一側端１ｂの表裏生地７、８および下端１ｃの表裏生地７、８の間に、ファスナーエレメント３ａの両側に連繋したファスナーテープ３ｂの外端部を挟み込んで、本体の上端１ａ、一側端１ｂおよび下端１ｃのそれぞれの近辺を縫着することにより、これら上端１ａ、一側端１ｂおよび下端１ｃに取付けている。この場合、本体の上端１ａ、一側端１ｂおよび下端１ｃの表生地７の端縁７ａから、ファスナーエレメント３ａまでの間隔Ｓ1 を２〜４ｍｍにした露出部Ｏ1 を設けたものとし、本体の上端１ａ、一側端１ｂおよび下端１ｃの裏生地８の端縁８ａから、ファスナーエレメント３ａまでの間隔Ｓ2 を５〜８ｍｍにした露出部Ｏ2 を設けたものとしている。そのため、前記開閉ファスナー３をスライダー４の操作によって開閉する場合にも、図１０に示したように、スライダー４と裏生地８の端縁８ａとが充分に離れているため、スライダー４の両側端が裏生地８の端縁８ａに接触して、この端縁８ａを噛み込んでしまうことはない。
【００２６】
このようにするには、図９に示したように、前記ファスナーテープ３ｂの裏側に、ファスナーエレメント３ａから前記間隔Ｓ2 をおいて裏生地８を重ね合わせ、前記ファスナーテープ３ｂの表側に、ファスナーエレメント３ａから前記間隔Ｓ1 をおいて表生地７を重ね合わせ、裏生地８の端縁８ａの近辺からファスナーテープ３ｂおよび表生地７にかけて縫着し、次に表生地７の端縁７ａの近辺からファスナーテープ３ｂにかけて縫着すればよい。この場合、縫着した縫目は、本体の上端１ａ、一側端１ｂおよび下端１ｃに二条現れるが、適当な間があいており、体裁が悪くなることはない。
【００２７】
なお、図１〜５および図６〜１０に示したこの発明の収納ケースでは、前記表裏生地７、８は、端部を折り返したものとしていないが、これら表裏生地７、８の端部をそれぞれ折り返して、それらの折り目を端縁７ａ、８ａとしてもよい。
以上のように構成されたこの発明の収納ケースは、図３、５、８、１０に示したように、マチ幅Ｍが８〜１５ｍｍ程度となり、従来のものに比べ非常に小さいものとなり、キャッシュレス化時代に適したものとなった。
【符号の説明】
【００２８】
１  本体
１ａ  上端
１ｂ  一側端
１ｃ  下端
１ｄ  他側端
２  収納部
３  開閉ファスナー
３ａ  ファスナーエレメント
３ｂ  ファスナーテープ
７  表生地
７ａ  端縁
８  裏生地
８ａ  端縁
Ｏ1 露出部
Ｏ2 露出部
Ｓ1 間隔
Ｓ2 間隔
【図１】
2020174836.tif 000003
【図２】
2020174836.tif 000004
【図３】
2020174836.tif 000005
【図４】
2020174836.tif 000006
【図５】
2020174836.tif 000007
【図６】
2020174836.tif 000008
【図７】
2020174836.tif 000009
【図８】
2020174836.tif 000010
【図９】
2020174836.tif 000011
【図１０】
2020174836.tif 000012
【図１１】
2020174836.tif 000013
【図１２】
2020174836.tif 000014